(57)【要約】少なくとも１つの画像から虹彩認証を行うための方法および装置が開示される。複数の画像を取り込むために複数のカメラが用いられ、その複数の画像の少なくとも１つは虹彩の少なくとも一部を有する範囲を含む。これら複数の画像の少なくとも１つは次いで虹彩認証を行う目的で処理される。
2007504562.tif 000002
【特許請求の範囲】
【請求項１】
少なくとも１つの画像から虹彩認証を行うための方法であって、
複数のカメラを用いて認証対象者の複数の画像を取り込む工程であって、前記画像の少なくとも１つが虹彩の少なくとも一部を有する領域を含む、工程と
虹彩認証を行うために前記複数の画像のうち少なくとも１つを処理する工程と
を含む方法。
【請求項２】
前記複数のカメラは関心領域を検出するために少なくとも１つの広角カメラを備える、請求項１に記載の方法。
【請求項３】
前記複数のカメラの少なくとも１つは、前記複数のカメラの他の少なくとも１つのカメラとは異なる空間領域をカバーする、請求項１に記載の方法。
【請求項４】
前記複数のカメラの少なくとも１つは、前記複数のカメラの他の少なくとも１つのカメラとは異なる焦点奥行きをカバーする、請求項１に記載の方法。
【請求項５】
前記少なくとも１つのカメラにより取り込まれた各画像は奥行き情報でより拡張される、請求項１に記載の方法。
【請求項６】
さらに前記認証対象者に光を当てるためのイルミネータを用いる工程を含む、請求項１に記載の方法。
【請求項７】
前記複数の画像のうち少なくとも１つを処理する工程が、
経時的に前記複数の画像の位置合せを行うことと、
人工物を伴わない前記複数の画像のサブセットを選択することと、
前記選択された画像のサブセットを組み合わせて前記虹彩の単一の画像を生成することと
を含む、請求項１に記載の方法。
【請求項８】
少なくとも１つの画像から虹彩認証を行うための装置であって、
認証対象者の複数の画像を取り込むために用いられる複数のカメラであって、前記画像の少なくとも１つが虹彩の少なくとも一部を有する領域を含む、複数のカメラと、
虹彩認証を行うために前記複数の画像のうち少なくとも１つを処理するためのプロセッサと
を含む装置。
【請求項９】
複数の命令が格納されたコンピュータ可読媒体であって、前記複数の命令は、プロセッサにより実行される際に前記プロセッサに少なくとも１つの画像から虹彩認証を行う方法の複数工程を行わせる複数の命令を含み、前記プロセッサは
複数のカメラを用いて認証対象者の複数の画像を取り込む工程であって、前記画像の少なくとも１つが虹彩の少なくとも一部を有する領域を含む、工程と、
虹彩認証を行うために前記複数の画像のうち少なくとも１つを処理する工程と
を実行するコンピュータ可読媒体。
【請求項１０】
虹彩の少なくとも一部を含む複数の画像から前記虹彩を含む単一の画像を形成する方法であって、
経時的に前記複数の画像の位置合せを行う工程と、
人工物を伴わない前記複数の画像のサブセットを選択する工程と、
前記選択された画像のサブセットを組み合わせて前記虹彩の単一の画像を生成する工程と、
を含む方法。
【発明の詳細な説明】
【技術分野】
【０００１】
本発明における政府の権利
本発明は契約番号ＮＭＡ４０１−０２−９−２００１に基づく合衆国政府補助により行われた。米国政府は本発明において一定の権利を有する。
関連出願の相互参照
本出願は本明細書に援用する２００３年９月４日に出願された米国仮特許出願通し番号６０／５０００８８号の利益を主張する。
【背景技術】
【０００２】
虹彩認証は生体情報に基づき個人を識別するための最も確実な手段の１つとして知られている。典型的な虹彩認証システムは目の画像を得るため１台のカメラを用いる。既存の虹彩認証システムは虹彩画像を得る際に認証対象者が静止することを求めるものである。さらに、ほとんどのシステムは認証対象者が虹彩認証装置の前に自らを位置づけることを求めるものである。これらの制約は虹彩認証の潜在的に幅広い配備を著しく制限している。したがって、虹彩認証システムの最も難しい課題の１つは柔軟な環境で機能させることである。
したがって、当技術分野に必要なのは虹彩認証に使用する目的で動的環境において画像を捕捉することができるシステムおよび方法である。
【発明の開示】
【発明が解決しようとする課題】
【０００３】
本発明は一般に、少なくとも１つの画像から虹彩認証を行うための方法および装置を開示する。一実施形態において、複数のカメラを用いて、少なくとも１つの画像が虹彩の少なくとも一部を有する領域を含む複数の画像を取り込む。これら複数の画像の少なくとも１つは次いで虹彩認識を行うために処理される。
【０００４】
虹彩の少なくとも一部を含む複数の画像からその虹彩を含む単一の画像を形成するための方法および装置も開示する。一実施形態において、複数の画像は経時的に位置合せされる。人工物を伴わない複数の画像のサブセットが選択される。次いで画像の選択されたサブセットは組み合わされてその虹彩の単一の画像を生成する。
【０００５】
上に述べられた本発明の特徴が詳しく理解できるように、上に短く要約された本発明を、実施形態を参照してより具体的に説明することができる。この実施形態の一部は添付図面で説明される。しかし、添付図面は本発明の典型的な実施形態だけを説明するものであり、したがって本発明はその他の等しく効果的な実施形態を認めることができるため、添付図面は本発明の範囲を限定するものとみなすべきではないことに留意されたい。
【発明を実施するための最良の形態】
【０００６】
本発明は、虹彩認証に使用する目的で動的環境において画像を捕捉するシステムおよび方法を開示する。本発明は虹彩の捕捉、処理および認証の作業が行われる間に人々が移動することを可能にする。本発明の一実施形態において、典型的な作業状況は、１人物が遠くから入口に向かって歩いてくること、その人物を検出すること、その人物の虹彩画像を捕捉／照合すること、およびその人物が入口を通過する際、または適当な時間内にプラス信号またはマイナス信号を発動することを伴う。
【０００７】
図１は本発明の一実施形態による虹彩の検知および捕捉システム１００を例示する。カメラ配列１０５、１１５は焦点領域１０４範囲内の複数の画像を取り込む。このカメラ配列により取り込まれた複数の画像の少なくとも１つは認証対象者１０２の虹彩の少なくとも一部を有する領域を含む。
【０００８】
一実施形態において、広角（ＷＦＯＶ）カメラ１０５は、認証対象者１０２が移動することを可能にすると同時に、顔を検出し、両目を見つけ、虹彩の関心領域（ＲＯＩ）を識別する。このＲＯＩ情報は選別機１１０に送られ、複数の虹彩画像を取り込むための１台（または複数の）狭角（ＮＦＯＶ）カメラ配列１１５の選定を制御する。一実施形態において、複数の虹彩画像は一続きの高解像度の虹彩画像を有する。ＮＦＯＶカメラ配列１１５は固定カメラおよび／またはパン・ティルト・ズーム・カメラを含んでよい。さらに、ＮＦＯＶカメラ１１５の選択を支援する目的でＲＯＩの奥行き情報は自動的に推定されることが可能である。奥行き推定は、例えばステレオ・カメラ、赤外線、超音波、レーダーなど様々な方法で実行できる。システムの柔軟性を高めるために、取込み範囲を拡大したＮＦＯＶカメラを用いてもよい。一実施形態において、ＮＦＯＶカメラ配列１１５は１台（または複数の）ＷＦＯＶカメラ１０５を使用せずに本発明を実施するために動作可能であってもよい。
【０００９】
取り込まれた一続きの虹彩画像は移動している人物から得られたものであることから、このシステムが、例えば雑音の軽減、画像合成、および特徴強調を含め、画像を十分に処理することが重要である。次いで、処理された虹彩像は照合および識別のために虹彩認証モジュール１２０に送られる。信号対雑音比（ＳＮＲ）を積極的に改善し、捕捉された虹彩画像の質を高めるために、シャッター・コントローラー１３０を備えた、不可視の反応性赤外線ＬＥＤ照明などの照明装置１２５を用いてもよい。さらに、画質管理モジュール（ＩＱＣＭ）１５０は、複数の入力画像を虹彩認証モジュール１２０に送る前にそれら入力画像を組み合わせることによって１つの虹彩画像を選択または改善する。
【００１０】
処理された１つの虹彩画像は、特徴抽出、パターン照合、および個人識別に向けて虹彩認証モジュール１２０に送られる。当業者は本発明の選別機１１０およびモジュール１３５、１４０、１５０の特徴は認証装置１２０により実行可能であることを理解されるであろう。
【００１１】
虹彩モデル・データベース１４５は照合処理に用いるために提供される。データベース１４５は複数の虹彩画像または抽出されたパターン特徴を含む。虹彩モデル・データベース１４５からのデータは虹彩パターンを認証装置１２０により得られた虹彩画像と照合させるために用いる。
【００１２】
図２は本発明の方法２００による図である。方法２００は工程２０５で始まり、工程２１０に進む。
【００１３】
一実施形態において、虹彩画像の取込み作業は２つのモジュールに分類されている。虹彩検知モジュールと虹彩捕捉モジュールである。虹彩検知モジュールはＷＦＯＶステレオペアを用いて任意の動きに対して指定された空間領域を監視する。ある個人がその現場に現れると、頭・顔・目ファインダ１３５が作動し、両目の位置を突き止め、両目のＲＯＩ（および奥行き）を推定する。次いで高解像度の虹彩画像は検知モジュールから供給されたＲＯＩ（および奥行き）情報に基づいて選択された１台のＮＦＯＶカメラによって捕捉される。
【００１４】
工程２１０において、複数のカメラを用いて複数の画像を取り込む。複数のカメラによって取り込まれた複数の画像の少なくとも１つは虹彩の少なくとも一部分を含む。
【００１５】
虹彩パターンを正確に照合および識別するには、虹彩像の直径は通常少なくとも１５０画素とすべきである。虹彩の平均直径は約１．０ｃｍであることから、解像度が５１２×５１２の従来型カメラは３．０×３．０ｃｍ２の空間領域しかカバーできない。一実施形態において、この制限を克服する目的で複数のＷＦＯＶカメラ、１台のＮＦＯＶカメラ、および１つのペン／ティルト・ユニットを用いた能動的視覚システム（ａｃｔｉｖｅ  ｖｉｓｉｏｎ  ｓｙｓｔｅｍ）を使用してもよい。しかし、この構成は動きの遅い機械モーターを使用し、メンテナンスを必要とし、さらにシステムの応答時間を著しく減らす可能性がある。これらの制限を克服するために、本発明はＷＦＯＶステレオ・カメラ・ペアおよび静的高解像度ＮＦＯＶカメラ配列を用いて空間的取込み範囲および時相的応答時間（すなわち、人間の動きの処理）を改善する。
【００１６】
一実施形態において、ＷＦＯＶカメラ装置１０５は現場の広角を捕らえて分析する。（個別の奥行き検出器からまたはＷＦＯＶカメラ独自のステレオ画像ペアから提供された）奥行き情報でより拡張された頭・顔・目ファインダ１３５はＷＦＯＶカメラ１０５から得た複数の画像を介したサーチによって頭、顔および両目の位置を検出する。
【００１７】
虹彩の画像を取り込む方法は、まず認証対象者の頭、次いで顔、そして目の位置を突き止めることである。この粗から密の（ｃｏａｒｓｅ  ｔｏ  ｆｉｎｅ）アプローチは通常画像取込みおよび処理要件を著しく削減する。このようなアプローチの一例はシステムに最も接近した奥行き（最も近い地点）かつ焦点領域内で認証対象者の位置を突き止めることである。利用者の奥行きは、スレテオ・カメラを用いてリアルタイムで探し出される。複数の認証対象者が入口に向かって歩き続けることになり、第１認証対象者がシステムの正面にいることにより第２認証対象者の虹彩を覆わないことを確実にする必要がある。これは歩行速度および個人間の隔離距離の研究を用いて、さらに賢明なシステム配置によって実現することができる。例えば入口上部に配置することはほとんどの環境で視認性を確保すると思われる。
【００１８】
次の工程は顔の位置を突き止めることである。顔は虹彩と比較してより低い解像度で検出および探知することができ、したがって画像の取込みおよび処理に課される制約をはるかに抑えることが可能である。顔は、鼻、口、両目および両頬の特徴を備える包括的な顔型を用いて検出することができる。（顔検出器を用いて探し出された）目の位置は次いでＲＯＩを限定するために用いられる。ＲＯＩにおいて、虹彩認証に求められるより高い解像度で目の画像の位置を突き止めるために画像の取込みおよび処理が行われる。人物は移動していることから、システムの潜在性を克服する目的で、粗から密の（ｃｏａｒｓｅ  ｔｏ  ｆｉｎｅ）解像度分析の引渡しにおいて人間動作の単純な予測モデルを用いることができる。このモデルは画像の取込み要件および処理要件を限定することを目的とする動作の予測にのみ使われるため正確でなくてもよい。
【００１９】
適切な絞り設定のＷＦＯＶレンズを用いてもよい。ＷＦＯＶレンズを使うことにより、通常の解像度のＷＦＯＶステレオペアは、０．５ｍ×０．５ｍ×０．５ｍから１．０ｍ×１．０ｍ  ｘ１．０ｍの空間的立方体など、より広い空間領域をカバーすることができる。
【００２０】
一実施形態において、領域の十分なカバー範囲を保証するために、ＮＦＯＶ高解像度カメラ配列１１５が用いられる。ＮＦＯＶカメラははるかに浅い焦点奥行きを有するため、高質画像を得るには正確な奥行き推定が重要である。一実施形態において、奥行き情報はＷＦＯＶ情報から入手される。奥行き情報を入手する方法は多く存在する。すなわち、ステレオ・カメラ、飛行時間（ＴＯＦ）装置、赤外線（ＩＲ）センサー、および超音波センサーを使用することである。システムのロバスト性をさらに高めるには、移動する対象が、焦点領域１０４などの焦点領域に入る状態にあることを信号で知らせるために、例えば空港における金属探知器ゲートなど、現場に赤外線に基づく閉鎖検出器など何らかの簡易装置を簡単に設置することができる。
【００２１】
ＷＦＯＶ画像において計算された目のＲＯＩ（ｘ，ｙ，ｄｘ，ｄｙ）は、ＲＯＩおよびカメラＩＤモジュール１４０を用いてＮＦＯＶカメラ配列の局所座標系にマップされる。このマッピングはＮＦＯＶカメラの画像に対応する新たなＲＯＩ（ｃｉｄ，ｘ’，ｙ’，ｄｘ’，ｄｙ’）を生み出す。ｃｉｄは虹彩が描かれるＮＦＯＶ配列におけるカメラのカメラ識別子である。マッピングは奥行き情報を用いることによって支援することができる。マッピング機能は「参照テーブル」（ＬＵＴ）形式で事前校正処理により得ることが可能である。
【００２２】
虹彩の位置が１台を超えるＮＦＯＶカメラの境界線を越えて突き止められる場合、ＷＦＯＶ装置はそれぞれの関連するＮＦＯＶカメラに対して副次的ＲＯＩを識別し、虹彩画像の捕捉に向けて副次的ＲＯＩをＮＦＯＶ装置に送ることができる。
【００２３】
ＷＦＯＶ装置は動作を探知し、安定させる機能を備える。この動作を探知し、安定させる機能は頭／顔の動作を探知し、両目のＲＯＩをリアルタイムで更新するために用いることができる。
【００２４】
高解像度の虹彩画像はＮＦＯＶカメラ装置を用いて捕捉される。高解像度カメラ配列を用いることにより、この装置は対象が移動する間に虹彩を捕捉できるように広い検知範囲をカバーすることができる。
【００２５】
このカバー領域はカメラの解像度、視角、および焦点奥行きによって決まる。一般的に、高解像度カメラに用いられるレンズは焦点奥行が浅い。ＮＦＯＶカメラ用のレンズを適切に選択することにより拡張焦点奥行きが可能になる。取込み領域を拡大するために、本発明は、１）潜在的にシステム応答時間を増やすことが可能な高速ズーム・レンズ、２）特にＺ−方向に沿って重複範囲をカバーする複数のカメラ、または３）特殊なオプティカルエンコーダーのいずれかを用いる。十分な焦点奥行きカバー範囲は、対象がＮＦＯＶカメラに向かって移動するまたは当該カメラから後退する間に虹彩の画質を保証する。
【００２６】
機械的なレンズ焦点機構は通常ゆっくりと動作する。したがって、認証対象者が「奥行きカーテン」を通過すると虹彩の高解像画像の取込みが誘発されるように、レンズ焦点を１組の「奥行きカーテン」に設定する単純な予測モデル。認証対象者の奥行きは、ＷＦＯＶカメラからの画像のリアルタイムのステレオ分析を用いて回復される。
【００２７】
焦点の合った画像を得るためのさらに別の方法は、個人が奥行きカーテンを通る際に複数の画像を捕捉し、最も焦点の合った複数の画像を選択するまたはぼやけている可能性のある一続きの画像から１つの鮮明な画像を形成することである。
【００２８】
ＮＦＯＶカメラ配列１１５の虹彩画像捕捉はＲＯＩに基づくものである。ＲＯＩはＷＦＯＶカメラ・モジュール１０５で作成される。ＮＦＯＶカメラのＲＯＩ領域からの画素のみが捕捉され、さらなる処理に向けて転送される。ＲＯＩに基づく虹彩画像捕捉はシステムの帯域幅要件を削減し、制限時間内に複数の虹彩画像を捕捉する可能性を加える。
【００２９】
ＮＦＯＶ選別機モジュール１１０はＷＦＯＶからのＲＯＩ情報および関連する奥行き情報を用いてスイッチを入れるＮＦＯＶカメラ１１５を判断し、虹彩画像捕捉に向けてＲＯＩを設定する。またこのモジュールは照明装置１２５コントロールに信号を出す。照明装置は異なる波長の混合物を備えてもよく、「常時オン」設定を備えてもまたはカメラのシャッターに合わせて同期的にスイッチを切り替えてもよい。
【００３０】
システムの時間応答に著しい影響を与えずに、さらに広い範囲をカバーするまたはシステム原価を削減するには、傾斜台と単列カメラとの組合せが妥協的な解決法である可能性がある。単列カメラは高解像度の画面捕捉に必要な水平の空間領域をカバーする。傾斜台は身長が異なる複数の人物の虹彩をスキャンする１自由度をカメラに与える。一実施形態において、固定されたカメラの列に画像を反射できるようにこの傾斜台に鏡を設置してもよい。別の実施形態では、カメラの列をこの傾斜台に直接設置してもよい。機械部分は１自由度しか備えていないため、確実性は高まるであろう。
【００３１】
一実施形態において、ＮＦＯＶ装置は顔／目を直接検出する能力も備える。ＮＦＯＶカメラ配列を活用できるであろう。この実施形態において、各ＮＦＯＶカメラはそれぞれの視野において虹彩の少なくとも一部分を検出するために動作可能である。この実施形態では、ＮＦＯＶ配列は焦点領域の空間的カバー範囲を提供するために動作可能である。さらに、ＮＦＯＶ配列は焦点奥行き情報で拡張できる。焦点奥行き情報はＷＦＯＶ装置の方法と類似した方法を用いてＮＦＯＶカメラから得ることができる。首尾よい虹彩照合を確実にするために、十分焦点の合った両目が検出された場合のみ信号が呼び出されるであろう。これはある種の利用者設定された反射光（ｓｐｅｃｕｌａｒｉｔｙ）パターンに従って照合フィルタを応用することにより実現可能である。
【００３２】
工程２２０では、複数の画像の少なくとも１つが処理されて虹彩認証が行われる。一実施形態において、ＩＱＣＭ１５０からの処理された虹彩画像は特徴抽出、パターン照合および個人識別に向けて虹彩認証モジュールに送られる。虹彩モデル・データベース１４５は照合処理に用いるために提供される。このデータベースは虹彩画像または抽出されたパターン特徴を含む。虹彩モデル・データベース１４５からのこのデータは虹彩パターン照合に用いられる。方法２００は工程２２５で終了する。
【００３３】
一実施形態において、制御された反射光を用いて、関心領域において瞳孔を検出する。前項で論じられたように、１つの運用可能な実施形態はＷＦＯＶを用いて頭、次いで顔、さらに目を見つけ、次いでＮＦＯＶを用いて虹彩の位置を突き止める。この運用可能な実施形態は正像の使用に基づくものであると同時に、反射光などの異常な画像領域は異常値として処理される。しかし、制御できる場合は人工物を用いてもよい。例えば近赤外イルミネータ１２５を用いて両目が照らされる場合、人間の瞳孔を直接検出する目的で反射光が用いられている。カメラの中心線に沿ってそしてこの中心線から外して複数のイルミネータ１２５を配置することにより、明るい瞳孔効果と暗い瞳孔効果をそれぞれ生み出すことができる。２組のイルミネータを連続して点滅させることにより、明るい瞳孔をＩＲ照明の角膜反射により生じる輝きと混同することなく、明るい瞳孔の確実な検出が実現できる。
【００３４】
制御されたイルミネータ１２５を用いることで、反射光を利用して目の領域を直接検出することができる。制御されたイルミネータ１２５は、ＷＦＯＶ装置および／またはＮＦＯＶ装置の範囲内で速度およびロバスト性を目的として頭・顔・目アプローチと一体化してもよい。この実施形態において、複数の光源は経時的に調整されて目の位置の識別を助ける。
【００３５】
図３は本発明の虹彩画像強調処理の図である。一実施形態において、複数の虹彩画像を処理して１つの虹彩画像を形成することができる。個人が移動する間に複数の虹彩画像が捕捉される場合、虹彩画像は認証モジュールに送られる前に処理および選択される必要がある。画質制御モジュール（ＩＱＣＭ）１５０がこの作業を行う。ＩＱＣＭ１５０はまず、焦点がずれたもの、不完全なもの、または反射の多すぎるものなど、質の悪い虹彩画像を除去する。次いで適格な画像群が処理されて１つの上質の虹彩画像を形成する。次いで虹彩および瞳孔の輪郭を検出することにより虹彩の位置測定が行われる。この処理は、経時的に虹彩画像の位置合せを行い、人工物を伴わない画像部分を選択し、残りの画像部分を組み合わせて１つの上質な虹彩画像を生成するために画像記録を必要とする。
【００３６】
画像記録のために、経時的に画像を記録する目的でパラメトリック・モデルに基づく配列を用いてもよい。モデルの複雑性は像が記録される時間によって異なる可能性がある。例えば時間が非常に短い場合はわずかな動作しか生じないため、簡単なアフィン・モデル（ａｆｆｉｎｅ  ｍｏｄｅｌ）で十分な可能性がある。
【００３７】
ＩＱＣＭ１５０は異なる複数のＮＦＯＶカメラから得られた不完全な複数の虹彩画像を寄せ集めて１つの完全な画像にする機能も備える。システムは１人物の虹彩の位置が画像境界線を越えて突き止められる可能性のある自由な動作環境で動作するため、たいていの場合この機能は必要である。
【００３８】
図４は本発明の画像処理装置または画像処理システム４００のブロック図である。具体的に、このシステムは虹彩認証を行う目的で複数のカメラからの複数の画像を処理するために用いることができる。一実施形態において、画像処理装置または画像処理システム４００は多目的コンピュータまたはその他のハードウェア同等物を用いて実行される。
【００３９】
したがって、画像処理装置または画像処理システム４００は、プロセッサ（ＣＰＵ）４１０、例えばランダム・アクセス・メモリ（ＲＡＭ）および／または読み出し専用メモリ（ＲＯＭ）などのメモリ４２０、虹彩捕捉および認証モジュール４４０、および様々な入力／出力装置４３０（テープ・ドライブ、フロッピー（登録商標）・ドライブ、ハードディスク・ドライブまたはコンパクトディスク・ドライブを含むがこれに限定されない記憶装置、受信機、送信機、スピーカー、ディスプレイ、例えばデジタル・カメラまたはデジタル・ビデオ・カメラに用いられる画像取り込みセンサー、時計、出力ポート、ユーザ入力装置（キーボード、キーパッド、マウス、その他同種類のもの、または音声コマンドを取り込むためのマイクロフォンなど）を備える。
【００４０】
虹彩の捕捉および認証モジュール４４０は、通信路を介してＣＰＵ４１０に結合される１つまたは複数の物理装置として実施可能であることを理解されたい。あるいは、虹彩の捕捉および認証モジュール４４０は、ソフトウェアが記憶媒体（例えば磁気ドライブもしくはオプティカル・ドライブまたはディスケット）からロードされてコンピュータのメモリ４２０においてＣＰＵによって動作する１つまたは複数のアプリケーション（または、さらにソフトウェアと特定用途向け集積回路（ＡＳＩＣ）などのハードウェアとの組合せ）で代行してもよい。したがって、本発明の虹彩の捕捉および認証モジュール４４０（関連するデータ構造を含む）は、例えばＲＡＭメモリ、磁気ドライブもしくはオプティカル・ドライブまたはディスケットおよびその他同種類のものなどコンピュータ可読媒体に格納することができる。
【００４１】
前記は本発明の実施形態に関するものであるとともに、当該発明の基本範囲から逸脱することなく当該発明の別の実施形態およびさらなる実施形態を考案することが可能であり、その範囲は特許請求の範囲によって決まる。
【図面の簡単な説明】
【００４２】
【図１】本発明の一実施形態による虹彩の検知および捕捉システムの図である。
【図２】本発明の方法による図表である。
【図３】本発明の一実施形態による複数の画像を組み合わせる画像処理の図である。
【図４】本発明の一実施形態による画像処理装置または画像処理システムのブロック図である。
【図１】
2007504562.tif 000003
【図２】
2007504562.tif 000004
【図３】
2007504562.tif 000005
【図４】
2007504562.tif 000006
【国際調査報告】
2007504562.tif 000007